(57)【要約】      （修正有）【課題】ＬＥＤの発光を導光板に入光させて、導光板から間接的に乱反射させる、間接的面発光照明化させるころにより、直視しても目に優しい、違和感の無い照明器を提供する。【解決手段】ＬＥＤを複数の発光ユニットにして、フレキシブル柔軟材で製造したＬＥＤ基板２に実装し、曲面形状に曲げ加工した導光板１を曲面形状に曲げ加工施したアルミ背面板３に耐熱両面テープでセットする。光の入光効率をよくするように、曲面形状に曲げ加工した導光板１の端面を磨き、鏡面加工を施し、曲げ曲面に沿って、両端面より入光させる。入光した光が反対側端面より放出されて無駄にならないように反対側ＬＥＤ基板２には反射テープ（導光板に入光した光を反射させるテープ）４にて、光が反射再入光させ、曲面全体範囲に平均的に照射面発光させる曲面状発光照明器を形成する。【選択図】図１
0003165793.tif 000002
【実用新案登録請求の範囲】
【請求項１】
ＬＥＤを複数の発光ユニットにしてフレクス基板（符号２）に装填し、曲面Ｒ加工した導光板（符号1）を曲面Ｒ加工施した反射背面放熱板（符号３）にセットして、ＬＥＤ基板をフレキシブル柔軟材にて製造して、導光板の鏡面加工した両端面より入光させ、曲面全面より平均的に面発光させる曲面状発光照明器。(参照図１及び２）
【請求項２】
ＬＥＤを複数の発光ユニットに基板実装して、曲面Ｒ直加工した導光板を反射放熱アルミ板にセットした、端面鏡面加工した導光板の側面より入光させ曲面Ｒ曲げ寸法の自在選択が出来る曲面状発光照明器。（参照図３及び４）
【請求項３】
ＬＥＤを複数の発光ユニットに基板実装して、ドット印刷した導光板を半円筒にＲ曲げ加工し、その両端面を鏡面加工し蛍光灯菅タイプにまで曲げ加工した導光板の両端面より、入光させ、半円筒状面に発光させる半円筒状発光照明器。(参照図５及び６）
【請求項４】
請求項１、請求項２、請求項３の照明器に共通して使用する導光板の風雪、紫外線、外敵からの耐候性向上に透明アクリルを密着保護カバーとして採用している、従来の蛍光灯照明等のカバーは外敵、虫の侵入や紫外線による劣化やトラブルの原因を派生させていたが、それを防護することが出来る。
【請求項５】
請求項１、請求項２、請求項３の照明器に使用する反射放熱アルミ板はＬＥＤより発生する熱を背面に広く伝達させ放熱させる構造にし、ＬＥＤの高熱化はＬＥＤの耐久寿命を劣化させるので、その放熱効果の向上対策としている。
【考案の詳細な説明】
【技術分野】
【０００１】
本考案はＬＥＤを利用した照明器に関する考案である。
【背景技術】
【０００２】
ＬＥＤ照明器は21世紀の照明器として、蛍光灯、電球に替わり、産業界、一般日常生活の中に普及し、今後も多くに普及活用されようとしている。
【先行技術文献】
【特許文献】
【０００３】
【特許文献１】特許公開２００８−１０３１６２
【特許文献２】特許公開２００４−２２７９２３
【非特許文献】
【０００４】
【非特許文献１】東芝ライテック株式会社    ＬＥＤ照明器具カタログ２００１
【考案の概要】
【考案が解決しようとする課題】
【０００５】
ＬＥＤは発光輝度を向上させるために、発光照射角度を絞って狭めたり、ＬＥＤ
素子に高電流を通電させて輝度確保を図っているために、現市場に流通している蛍光灯タイプの照明器は直視すると眩しい光であるが照射範囲が平均的な輝度をとりにくい欠点があり、又、輝度確保のために電流値をあげたハイパワーＬＥＤを採用したタイプがあるが高熱発生のために放熱熱処理化の構造によってはＬＥＤの特性である超寿命照明の特性を生かせないという課題があり、これらの課題を解決しようとする考案である。
【課題を解決するための手段】
【０００６】
本考案のＬＥＤはサイドビュウータイプのＬＥＤを採用し、導光板を曲面加工して
曲面端面より入光を広範囲に平均照射出来、しかも、屈折光であるのでＬＥＤ特性  を生かした眼に優しい照明器を構成できる。
【０００７】
本考案の導光板の曲げ加工はドット印刷配列とのデザイン性により下記３タイプに
なる。
（考案Ａタイプ）ＬＥＤ基板を導光板の曲げＲ角度に併せて配置した曲面発光照明器
（考案Ｂタイプ）ＬＥＤ基板は直配置し導光板の両端面よりドット印刷を平均発光で
きる導光板を曲面加工させるので、自在寸法の曲面状発光のできる
曲面発光照明器
（考案Ｃタイプ）導光板を蛍光灯の円筒サイズまで半管形状にまで曲げ加工して蛍光                    灯代替品として利用する半円筒状面状発光照明器
【０００８】
本考案は採用する、ＬＥＤをサイドビュータイプの低電流２０ｍＡを4個で１ユニットとしてＤＣ１５Ｖ仕様にて構成させることにより、低電流、熱対策をしている、
【０００９】
本考案はＬＥＤから発熱される放熱対策として、ＬＥＤ基板より発生する熱を導光板の背面板に反射シートを積載したアルミ板を採用する構造として、平常温度２５度でも平均３２度の状態で保持できる放熱対策を施して、ＬＥＤ特性の超寿命を果たせる構造にしている。
【考案の効果】
【００１０】
従来の蛍光灯照明のようにインバーターによるちらつき、ＬＥＤ直実装のＬＥＤ蛍光灯タイプのような光照射による眼の疲労も少なくなり、眼に優しい光の照明器となる。
【００１１】
低電流でＬＥＤの超寿命化特性を生かし、環境に優しい省電力、超寿命の照明器として、ＣＯ２削減の出来る未来型照明器となる。
【図面の簡単な説明】
【００１２】
【図１】本考案Ａの曲面状発光照明器の構成図である。
【図２】本考案Ａの断面図である。
【図３】本考案Ｂの曲面状発光照明器の構成図である。
【図４】本考案Ｂの断面図である。
【図５】本考案Ｃの半円管状面発光照明器の構成図である。
【図６】本考案Ｃの断面図である。
【考案を実施するための形態】
【００１３】
図１：図３：図５を前面発光面として照明器を形成する。
【産業上の利用可能性】
【００１４】
ＬＥＤ照明器具として、ＬＥＤの特性を生かした、超寿命、省電力、省資源タイプ
の環境配慮型照明器として、人間の眼にも優しい光で疲労も少ない照明器具として
工場ない照明、家庭内照明、公共施設の照明として広く採用できる。
【符号の説明】
【００１５】
１．導光板（曲面加工：端面鏡面仕上げ：ドット印刷済）
２．ＬＥＤ基板（サイドビュー型ＬＥＤ実装基板）
３．アルミ背面板（反射シート貼込タイプ）（放熱板）
４、反射テープ
５、放熱用アルミメタルテープ（熱伝導放熱用）
６、導光板保護透明アクリル板
７、基板固定用耐熱両面テープ
８．導光板ＬＥＤ背面板固定アルミ枠
【図１】
0003165793.tif 000003
【図２】
0003165793.tif 000004
【図３】
0003165793.tif 000005
【図４】
0003165793.tif 000006
【図５】
0003165793.tif 000007
【図６】
0003165793.tif 000008
【手続補正書】
【提出日】平成21年11月21日(2009.11.21)
【手続補正１】
【補正対象書類名】明細書
【補正対象項目名】全文
【補正方法】変更
【補正の内容】
【考案の詳細な説明】
【技術分野】
【０００１】本考案はＬＥＤを利用した照明器に関する考案である。
【背景技術】
【０００２】ＬＥＤ照明器は２１世紀の照明器として、蛍光灯、電球に替わり、産業界、一般日常生活の中に普及し、今後も多くに普及活用されようとしている。
【先行技術文献】
【特許文献】
【０００３】
【特許文献１】特許公開２００８−１０３１６２
【特許文献２】特許公開２００４−２２７９２３
【非特許文献】
【０００４】
【非特許文献１】東芝ライテック（株）  ＬＥＤ照明器具カタログ２００１
【考案の概要】
【考案が解決しようとする課題】
【０００５】ＬＥＤは発光輝度を向上させるために、発光照射角度を絞って狭めたり、ＬＥＤ素子に高電流を通電させて輝度確保を図っているために、現市場に流通している蛍光灯タイプのＬＥＤ照明器は直視すると眩しい光であるが照射範囲が平均的な輝度をとりにくい欠点があり、又、輝度確保のために電流値をあげたハイパワーＬＥＤを採用したタイプがあるが、高熱発生のために放熱熱処理化の構造によってはＬＥＤの特性である超寿命照明の特性を生かせないという課題があり、これらの課題を解決しようとする考案である。【０００６】本考案のＬＥＤはサイドビュウータイプのＬＥＤを採用し、導光板を曲面加工して曲面端面より入光をさせることにより広範囲に拡散平均照射出を可能にした、しかも、導光板のドットを介した屈折拡散光であるので間接光であり、ＬＥＤ特性を生かした眼に優しい構成の曲面状発光照明器。【０００７】本考案の導光板の曲げ加工はドット印刷配列をＬＥＤ光源の入光方向により均等面発光させるための手段として下記３タイプの曲面照明器を考案した。
（考案Ｉタイプ）ＬＥＤ基板を曲、導光板の曲げＲ角度に平行させて配置した曲面発光照                明器
（考案ＩＩタイプ）ＬＥＤ基板は直配置し導光板の両端面より平均発光できる導光板を曲                面加工させるので、自在寸法の曲面状発光のできる曲面発光照明器
（考案ＩＩＩタイプ）導光板を蛍光灯の円筒サイズまで半管形状に曲げ加工して、ＬＥＤ                基板は直配列装填して蛍光灯代替品として利用する半円筒状の面発光照                明器【０００８】本考案は採用する、ＬＥＤをサイドビュータイプの低電流２０ｍＡを４個で１ユニットとしてＤＣ１５Ｖ仕様にて複数ユニット連結構成させることにより、低電流、熱発生対策をしている曲面発光照明器、【０００９】本考案はＬＥＤ素子から発熱される放熱対策として、ＬＥＤ実装基板より発生する熱を導光板の背面板に反射シートを積載させたアルミ板を採用する構造として、更ＬＥＤ実装基板の上に、光を導光板に効率よく取り込むために反射テープを張り込み、その上にアルミテープでカバーを掛けて、全体で熱を吸収し、その熱を裏面のアルミ背面板に熱伝導させる構造にした、この放熱対策により周囲平常温度２５度でＬＥＤ周囲温度を４０度以下に抑制を可能にした、ＬＥＤ特性の長寿命を生かす構造に出来た曲面発光照明器
【考案の効果】
【００１０】従来の蛍光灯照明のようにインバーターによるちらつき、ＬＥＤ直実装のＬＥＤ蛍光灯タイプのような光照射による眼精疲労も少なくなり、眼に優しい光の照明器となる。【００１１】低電流でＬＥＤの超寿命化特性を生かし、環境に優しい省電力、超寿命の照明器として、ＣＯ２削減の出来る未来型照明器となる。
【図面の簡単な説明】
【００１２】
【図１】本考案Ｉの曲面状発光照明器の構成図である。
【図２】本考案Ｉの断面図である。
【図３】本考案ＩＩの曲面状発光照明器の構成図である。
【図４】本考案ＩＩの断面図である。
【図５】本考案ＩＩＩの半円管状の面発光照明器の構成図である。
【図６】本考案ＩＩＩの断面図である。
【考案を実施するための形態】
【００１３】図１：図３：図５を全面発光面として曲面状発光照明器を形成する。
【産業上の利用可能性】
【００１４】ＬＥＤ照明器具として、ＬＥＤの特性を生かした、超寿命、省電力、省資源タイプの環境配慮型照明器として、人間の眼にも優しい光で疲労も少ない照明器具として工場内照明、家庭内照明、公共施設の照明として広く採用できる。
【符号の説明】
【００１５】１．導光板（曲面加工：端面鏡面仕上げ：ドット印刷済）
２．ＬＥＤ基板（サイドビュー型ＬＥＤ実装基板）
３．アルミ背面板（反射シート貼込タイプ）（放熱板）
４、反射テープ（入光した光を端面から放出させないための反射テープ
５、放熱用アルミメタルテープ（熱伝導放熱用）
６、導光板保護透明アクリル板
７、基板固定用耐熱両面テープ
８．導光板ＬＥＤ背面板固定アルミ枠【００１６】
【手続補正２】
【補正対象書類名】実用新案登録請求の範囲
【補正対象項目名】全文
【補正方法】変更
【補正の内容】
【実用新案登録請求の範囲】
【請求項１】
ＬＥＤを複数の発光ユニットにしてＬＥＤ基板（２）に装填し、曲面Ｒ加工した導光板（１）を曲面Ｒ加工施したアルミ背面板（３）に耐熱両面テープでセットして、ＬＥＤ基板はフレキシブル柔軟材にて製造して、曲げられるようにして曲面Ｒ加工施したアルミ背面板（３）に耐熱両面テープでセットする。導光板の端面は光の入光効率をよくする様に鏡面加工した両端面より入光させる、入光端面の反対側端面には反射シートにて光が放出され無駄にならないようにカバーをかけ、曲面Ｒ加工した導光板（１）の中に反射して再入光出きる構造に考案した、曲面全面より広範囲に平均的に照射面発光させた曲面状発光照明器。
【請求項２】
ＬＥＤを複数の発光ユニットに構成した、複数の発光ユニットを基板実装して、曲面Ｒ直加工した導光板をアルミ背面板（３）にセットした、端面鏡面加工した導光板の側面より入光させ曲面Ｒ曲げ寸法の自在選択が出来る曲面状発光照明器。
【請求項３】
ＬＥＤを複数の発光ユニットに基板実装して、ドット印刷した導光板を半円筒にＲ曲げ加工し、曲面Ｒ加工したアルミ背面板に耐熱両面テープでセットする。導光板のその両端面を鏡面加工し蛍光灯筒タイプにまで曲げ加工した導光板の両端面より、入光させ、半円筒状面に発光させる曲面状発光照明器。
【請求項４】
請求項１、請求項２、請求項３のいずれか１項に記載の曲面状発光照明器に共通して使用する導光板の風雪、紫外線、外敵からの耐候性向上対策として、透明アクリルを密着保護カバーとして採用している、それを防護することが出来るように、導光板と透明アクリルを保護カバーとの一体型を可能とした超薄型の面発光の曲面状発光照明器。
【請求項５】
請求項１、請求項２、請求項３のいずれか１項に記載の曲面状発光照明器に使用するアルミ背面板はＬＥＤより発生する熱を背面に広く伝達させ放熱させる構造にした、ＬＥＤの高熱化はＬＥＤ素子の特性の耐久寿命を劣化させるので、その放熱対策として背面全体を面状放熱板構造とした曲面状発光照明器
【手続補正書】
【提出日】平成22年3月19日(2010.3.19)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤを複数の発光ユニットにして、フレキシブル柔軟材で製造したＬＥＤ基板（２）に実装し、曲面Ｒ加工した導光板（１）を曲面Ｒ加工施したアルミ背面板（３）に耐熱両面テープでセットして、光の入光効率をよくするように端面を磨き鏡面加工を施し、曲面Ｒ加工してある導光板（１）のＲ曲げ両端面より入光させる、入光した光が反対側端面より放出されて無駄にならないように反対側ＬＥＤ基板には反射シートにて反射再入光させる構造に考案した、曲面全体より広範囲に平均的に照射面発光させる曲面状発光照明器。
（参照図１及び２）
【請求項２】
ＬＥＤを直列４個のユニットに構成し、複数発光ユニットを基板実装して、曲面Ｒ加工した導光板（１）を曲面Ｒ加工施したアルミ背面板（３）に耐熱両面テープセットして、光の入光効率をよくするように端面を磨き鏡面加工を施し、曲面Ｒ加工してある導光板（１）のＲ曲げ両端面より入光させる、入光した光が反対側端面より放出されて無駄にならないように反対側ＬＥＤ基板には反射シートにて反射再入光させる構造に考案した、［請求項１］の考案との相違はＲ曲面端面鏡面加工した導光板の入光端面が曲面Ｒ曲げ側でなく直面端面にすることにより大小様々な寸法の自在選択が出来る曲面状発光照明器。
（参照図３及び４）
【請求項３】
ＬＥＤを複数の発光ユニットに基板実装して、蛍光灯曲面Ｒ加工したアルミ背面板に耐熱両面テープでセットし、ドット印刷した導光板を半円筒にＲ曲げ加工し、蛍光灯管タイプの半管にして端面は入光効率をよくするために鏡面磨き加工をし端面より入光させる、入光した光が反対側端面より放出されて無駄にならないように反対側ＬＥＤ基板には反射シートにて反射再入光させる構造に考案した、半円筒状面に発光させる半円筒状発光照明器。
（参照図５及び６）
【請求項４】
請求項１、請求項２、請求項３の曲面状照明器に共通して使用する曲面Ｒ加工の導光板の風雪、紫外線、外敵からの耐候性向上対策として、透明アクリルを密着保護カバー（６）として採用している、アルミ背面板、反射シート、導光板、透明アクリル板を積層密着一体型の組付け構成により超薄型化を可能とした超薄型を特徴とする、前記曲面状発光照明器。
【請求項５】
請求項１、請求項２、請求項３に共通して使用する反射アルミ板（３）はＬＥＤより発生する熱を背面に広く伝達させ放熱させる構造にした放熱対策の放熱板である、ＬＥＤの高熱化はＬＥＤの耐久寿命を劣化させるので、その放熱対策として、背面全体をアルミ板にしては熱伝導させ放熱させている、面状放熱板構造を特徴とする、前記記載の曲面状発光照明器
【手続補正書】
【提出日】平成22年6月30日(2010.6.30)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤを複数の発光ユニットにして、フレキシブル柔軟材で製造したＬＥＤ基板（２）に実装し、曲面形状に曲げ加工した導光板（１）を曲面形状に曲げ加工施したアルミ背面板（３）に耐熱両面テープでセットする、光の入光効率をよくするように、曲面形状に曲げ加工した導光板（１）の端面を磨き、鏡面加工を施し、曲げ曲面に沿って、両端面より入光させる、入光した光が反対側端面より放出されて無駄にならないように反対側ＬＥＤ基板（２）には反射テープ（導光板に入光した光を反射させるテープ）（４）にて、光が反射再入光させる構造に考案した、曲面全体範囲に平均的に照射面発光させる曲面状発光照明器。
【請求項２】
ＬＥＤを複数の発光ユニットに構成し、複数発光ユニットを基板実装して、曲面形状に曲げ加工した導光板（１）を曲面形状に曲げ加工施したアルミ背面板（３）に耐熱両面テープ（７）にてセットする、光の入光効率をよくするように、端面を磨き鏡面加工を施し、曲面形状に曲げ加工してある導光板（１）の直端面側の両端面より入光させる、入光した光が反対側端面より放出されて無駄にならないように反対側ＬＥＤ基板には反射テープ（４）にて反射再入光させる構造に考案した、入光端面が曲面形状に沿った側でなく、直面端面にすることにより、曲げ形状を曲げ角度を大小様々な寸法の形状選択可能となり、デザイン設計出来る曲面状発光照明器。
【請求項３】
ＬＥＤを複数の発光ユニットに基板実装して、半円筒に曲面曲げ加工したアルミ背面板（３）に耐熱両面テープ（７）でセットし、ドット印刷した導光板を半円筒に曲げ加工し、蛍光灯管タイプの半管にして、端面は入光効率をよくするために鏡面磨き加工を施し、端面より入光させる、入光した光が反対側端面より放出されて無駄にならないように反対側ＬＥＤ基板には反射テープ（４）にて反射再入光させる構造にし、導光板保護透明アクリル板（６）、半円筒曲面形状導光板（１）ＬＥＤ基板（２）アルミ背面板（３）を半円筒に密着組込に考案した、半円筒状面に面発光させる半円筒曲面状発光照明器。
【請求項４】
請求項１、請求項２の曲面状照明器、及び、請求項３の半円筒状発行照明器に共通して使用する曲面Ｒ加工の導光板の風雪、紫外線、からの耐候性向上対策として、透明アクリルを密着保護カバー（６）として採用している、アルミ背面板、反射シート、導光板、透明アクリル板を積層密着一体型の組付け構成により超薄型化を可能とした超薄型を特徴とする、請求項１、請求項２、のいずれか１に記載する曲面状発光照明器、及び、請求項３に記載する半円筒曲面状発光照明器。
【請求項５】
請求項１、請求項２の曲面状照明器、及び、請求項３に共通して使用するアルミ背面板（３）はＬＥＤより発生する熱を背面に広く伝達させ放熱させる構造にした放熱対策の放熱板である、ＬＥＤの高熱化はＬＥＤの耐久寿命を劣化させるので、その放熱対策として、背面全体をアルミ背面板（３）にして、熱伝導させ、放熱させる面状放熱板構造を特徴とする、請求項１、請求項２、のいずれか１に記載の曲面状発光照明器、及び、請求項３のいずれか１に記載の半円筒曲面状発光照明器
【手続補正書】
【提出日】平成22年10月21日(2010.10.21)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤを複数の発光ユニットにして、フレキシブル柔軟材で製造したＬＥＤ基板（２）に実装し、曲面形状に曲げ加工した導光板（１）を曲面形状に曲げ加工施したアルミ背面板（３）に耐熱両面テープでセットする、光の入光効率をよくするように、曲面形状に曲げ加工した導光板（１）の端面を磨き、鏡面加工を施し、曲げ曲面に沿って、両端面より入光させる、入光した光が反対側端面より放出されて無駄にならないように反対側ＬＥＤ基板（２）には反射テープ（導光板に入光した光を反射させるテープ）（４）にて、光が反射再入光させる構造に考案した、曲面全体範囲に平均的に照射面発光させる曲面状発光照明器。
【請求項２】
ＬＥＤを複数の発光ユニットに構成し、複数発光ユニットを基板実装して、曲面形状に曲げ加工した導光板（１）を曲面形状に曲げ加工施したアルミ背面板（３）に耐熱両面テープ（７）にてセットする、光の入光効率をよくするように、端面を磨き鏡面加工を施し、曲面形状に曲げ加工してある導光板（１）の直端面側の両端面より入光させる、入光した光が反対側端面より放出されて無駄にならないように反対側ＬＥＤ基板には反射テープ（４）にて反射再入光させる構造に考案した、入光端面が曲面形状に沿った側でなく、直面端面にすることにより、曲げ形状を曲げ角度を大小様々な寸法の形状選択可能となり、デザイン設計出来る曲面状発光照明器。
【請求項３】
ＬＥＤを複数の発光ユニットに基板実装して、半円筒に曲面曲げ加工したアルミ背面板（３）に耐熱両面テープ（７）でセットし、ドット印刷した導光板を半円筒に曲げ加工し、蛍光灯管タイプの半管にして、端面は入光効率をよくするために鏡面磨き加工を施し、端面より入光させる、入光した光が反対側端面より放出されて無駄にならないように反対側ＬＥＤ基板には反射テープ（４）にて反射再入光させる構造にし、導光板保護透明アクリル板（６）、半円筒曲面形状導光板（１）ＬＥＤ基板（２）アルミ背面板（３）を半円筒に密着組込に考案した、半円筒状面に面発光させる半円筒曲面状発光照明器。
【請求項４】
請求項１、請求項２の曲面状照明器、及び、請求項３の半円筒状発光照明器に共通して使用する曲面Ｒ加工の導光板の風雪、紫外線、からの耐候性向上対策として、透明アクリルを密着保護カバー（６）として採用している、アルミ背面板、反射シート、導光板、透明アクリル板を積層密着一体型の組付け構成により超薄型化を可能とした超薄型を特徴とする、請求項１、又は請求項２記載の曲面状発光照明器、又は、請求項３の半円筒曲面状発光照明器。
【請求項５】
請求項１、又は２記載の曲面状発光照明器、又は、請求項３の半円筒状曲面発光照明器に共通して使用するアルミ背面板（３）はＬＥＤより発生する熱を背面に広く伝達させ放熱させる構造にした放熱対策の放熱板である、ＬＥＤの高熱化はＬＥＤの耐久寿命を劣化させるので、その放熱対策として、背面全体をアルミ背面板（３）にして、熱伝導させ、放熱させる面状放熱板構造を特徴とする、請求項１、又は２記載の曲面状発光照明器、又は、請求項３の半円筒曲面状発光照明器